(57)【要約】      （修正有）【課題】前蓋の上面に取っ手を設けた従来の構成では、開閉はし易いものの、取っ手の内部に汚れがたまりやすく、また、取っ手の内部の清掃が難しいという問題があった。そこで、従来と同様の開閉のし易さを維持しつつ、上面の清掃性も高めた洗濯槽の開閉蓋を提供する。【解決手段】縦型洗濯機の洗濯槽の上部開口を覆う、二つ折り可能な洗濯槽の開閉蓋であって、上面が平坦な前蓋１ａと、上面が平坦な後蓋１ｂと、前記前蓋と前記後蓋を連結するヒンジ１ｃと、を備え、前記前蓋の前端には、手掛け部２が設けられていることを特徴とする洗濯槽の開閉蓋。【選択図】図４
2020089458.tif 000002
【特許請求の範囲】
【請求項１】
縦型洗濯機の洗濯槽の上部開口を覆う、二つ折り可能な洗濯槽の開閉蓋であって、
上面が平坦な前蓋と、上面が平坦な後蓋と、前記前蓋と前記後蓋を連結するヒンジと、を備え、
前記前蓋の前端には、手掛け部が設けられていることを特徴とする洗濯槽の開閉蓋。
【請求項２】
請求項１に記載の洗濯槽の開閉蓋において、
前記手掛け部は、高さが２０ｍｍ以上、奥行が３０ｍｍ以上であることを特徴とする洗濯槽の開閉蓋。
【請求項３】
請求項２に記載の洗濯槽の開閉蓋において、
前記手掛け部は、高さが略２５ｍｍ、奥行が略４０ｍｍであることを特徴とする洗濯槽の開閉蓋。
【請求項４】
請求項１から請求項３の何れか一項に記載の洗濯槽の開閉蓋において、
前記後蓋の上面はガラス板で覆われていることを特徴とする洗濯槽の開閉蓋。
【請求項５】
請求項１から請求項４の何れか一項に記載の洗濯槽の開閉蓋により、洗濯槽の上部開口を覆う縦型洗濯機であって、
前記開閉蓋を全開し、前記前蓋が自重により前側に倒れると、
該縦型洗濯機の上方にスタンドを介して乾燥機を取り付けた状態であっても、前記開閉蓋と、前記乾燥機または前記スタンドが干渉しないことを特徴とする縦型洗濯機。
【請求項６】
請求項５に記載の縦型洗濯機において、
該縦型洗濯機の上面前側の操作パネルの上面と、前記手掛け部の下面が連続するように配置されることを特徴とする縦型洗濯機。
【発明の詳細な説明】
【技術分野】
【０００１】
本発明は、二つ折り可能な、洗濯槽の開閉蓋、および、これを備えた縦型洗濯機に関する。
【背景技術】
【０００２】
二つ折り可能な、洗濯槽の開閉蓋としては、例えば、特許文献１に記載のものが知られている。同文献の要約書には、「洗濯機前側からみた洗濯槽の開閉蓋の後部開閉蓋の長さを長くする場合の不具合を解消する」ものとして、「洗濯機前方から見た開閉蓋の長さのうち後部開閉蓋の長さが２分の１を超え、当該開閉蓋を２つ折り開きにしたときに当該後部開閉蓋の先端は洗濯機の上方に設けられた乾燥機又は当該乾燥機を支持しているスタンドに達しないようにし」た開閉蓋が開示されている。
【先行技術文献】
【特許文献】
【０００３】
【特許文献１】特開２０１６−２０２４３９号公報
【発明の概要】
【発明が解決しようとする課題】
【０００４】
特許文献１の開閉蓋では、同文献の図３、図４等に示されるように、前部開閉蓋の上面の一部を下方に窪ませた取っ手を設けており、使用者はこの取っ手を利用することで、開閉蓋を容易に開閉することができた。
【０００５】
しかしながら、特許文献１のように、前部開閉蓋の上面に取っ手を設けた構成では、開閉はし易いものの、窪んだ取っ手の内部には汚れがたまりやすく、取っ手の内部の清掃が難しいという問題があった。
【０００６】
そこで、本発明では、特許文献１と同様の開閉のし易さを維持しつつ、上面の清掃性も高めた洗濯槽の開閉蓋を提供することを目的とする。
【課題を解決するための手段】
【０００７】
上記の課題を解決するため、本発明の洗濯槽の開閉蓋は、縦型洗濯機の洗濯槽の上部開口を覆う、二つ折り可能なものであって、上面が平坦な前蓋と、上面が平坦な後蓋と、前記前蓋と前記後蓋を連結するヒンジと、を備え、前記前蓋の前端には、手掛け部が設けられているものとした。
【発明の効果】
【０００８】
本発明の開閉蓋によれば、従来同様の開閉のし易さを維持しつつ、開閉蓋の上面の清掃性も高めることができる。
【図面の簡単な説明】
【０００９】
【図１】一実施例の縦型洗濯機の側面図
【図２】開閉蓋が閉状態時の縦型洗濯機の上部斜視図
【図３】開閉蓋が全開状態時の縦型洗濯機の上部斜視図
【図４】開閉蓋の手掛け部近傍の縦型洗濯機の断面図
【発明を実施するための形態】
【００１０】
以下、図１〜図４を用いて、本発明の一実施例に係る縦型洗濯機１０を、詳細に説明する。
【００１１】
図１は、本実施例の縦型洗濯機１０の側面図である。この縦型洗濯機１０は、衣類乾燥機能を持たない全自動洗濯機であり、背面に取り付けたスタンド３０を介して、上方に乾燥機２０を設置することができる。なお、乾燥機２０とスタンド３０は、取り付けられない場合もあるため、図１では、乾燥機２０とスタンド３０を取り付けた状態を、実線ではなく、二点鎖線で示している。
【００１２】
また、縦型洗濯機１０は、洗濯槽の上部開口を、二つ折り可能な開閉蓋１で覆っている。この開閉蓋１は、前側の前蓋１ａと後側の後蓋１ｂをヒンジ１ｃで連結し、後蓋１ｂの後端を、縦型洗濯機１０の上部後方に設けたヒンジ１ｄで連結したものである。このような構成の開閉蓋１を全開にすると、図１に示すように、前蓋１ａが自重で前側に折れ曲がり、開閉蓋１の高さが低くなる。この結果、乾燥機２０を取り付けた場合であっても、全開状態の開閉蓋１の上端と、乾燥機２０やスタンド３０の干渉を避けることができる。なお、後蓋１ｂの長さは開閉蓋１の長さの１／２以上であり、開閉蓋１の開動作がバネによりサポートされ、開閉蓋１の閉動作がダンパで緩衝されるなどの特徴もあるが、このような構成は、特許文献１でも説明されているので、重複説明は省略する。
【００１３】
次に、図２と図３の斜視図を用いて、本実施例の開閉蓋１の概要を説明する。
【００１４】
図２は、開閉蓋１が閉状態時の縦型洗濯機１０の上部斜視図である。この図から明らかなように、前蓋１ａと後蓋１ｂは、何れも上面に窪みがなく平坦な形状となっている。従って、上面に窪みがある従来の開閉蓋と比べ、汚れがたまりにくいという利点があり、また、汚れが付いた場合であっても、清掃し易いという利点もある。加えて、開閉蓋１の上面の全面が平坦であるため、意匠性が向上するという利点もある。
【００１５】
一方で、上面が平坦な本実施例の開閉蓋１では、従来のように、上面の取っ手を利用して開閉蓋を開閉することができないという問題もある。そこで、本実施例では、縦型洗濯機１０の上面前側の操作パネル４と対向する、前蓋１ａの前端に手掛け部２を設け、この手掛け部２に指を入れて開閉蓋１を持ち上げることができるようにした。この手掛け部２の詳細構造は、図４を用いて後述する。
【００１６】
なお、前蓋１ａと後蓋１ｂは、何れも樹脂製であってもよいが、面積の大きい後蓋１ｂの上面だけをガラス板３で覆ってもよい。樹脂より硬いガラス板３を上面に用いることで、後蓋１ｂの耐傷性や耐摩耗性、および、清掃性がより高まる等の利点があるだけでなく、意匠性も更に向上するという利点もある。
【００１７】
図３は、開閉蓋１が全開状態時の縦型洗濯機１０の上部斜視図である。この図に示すように、開閉蓋１を全開にすると、前蓋１ａが自重により前側に倒れるため、開閉蓋１の全体としての高さが低くなる。このため、図１でも説明したように、乾燥機２０とスタンド３０が取り付けられた場合であっても、これらとの干渉を避けることができる。
【００１８】
図４は、開閉蓋１の手掛け部２近傍の縦型洗濯機１０の断面図である。ここに示すように、掛け部２の断面形状の高さをＨ、奥行をＤとしたとき、本実施例では、高さＨを２０ｍｍ以上、奥行Ｄを３０ｍｍ以上とする。特に、後述する理由から、高さＨを略２５ｍｍ（２５±２ｍｍ）、奥行Ｄを略４０ｍｍ（４０±２ｍｍ）とするのが最適である。なお、図４では、高さＨを操作パネル４の上面からの高さとし、奥行Ｄを前蓋１ａの先端からの奥行と定義しているが、前蓋１ａの先端の下方に手掛け部２の下面が配置される場合は、高さＨを手掛け部２の下面からの高さとすれば良い。
【００１９】
二つ折りの開閉蓋１の前端に、図４のような手掛け部２を設けた場合、使用者は、手掛け部２に親指以外の４本の指を入れ、かつ、前蓋１ａの上面に親指を添えて開閉蓋１を持ち上げることが多い。このように開閉蓋１を持ち上げる場合、親指以外の指の先端が親指の先端よりも奥側に位置する方が、そうでない場合よりも開閉蓋１を持ち上げ易いため、本実施例では、親指以外の指がより奥深く挿入できるように、手掛け部２の断面形状を上記のように規定した。なお、開閉蓋１が閉状態にあるときに、手掛け部２に指を挿入しやすいように、操作パネル４の上面と、手掛け部２の下面が滑らかに連続するような配置とすることが望ましい。
【００２０】
以上で説明した、本実施例の構成によれば、従来同様の開閉のし易さを維持しつつ、開閉蓋の上面の清掃性も高めることができる。
【符号の説明】
【００２１】
１０  洗濯機、
１  開閉蓋、
１ａ  前蓋、
１ｂ  後蓋、
１ｃ、１ｄ  ヒンジ、
２  手掛け部、
３  ガラス板、
４  操作パネル、
２０  乾燥機、
３０  スタンド
【図１】
2020089458.tif 000003
【図２】
2020089458.tif 000004
【図３】
2020089458.tif 000005
【図４】
2020089458.tif 000006